(57)【要約】  センタへの通報を適正に行う。  ドライブレコーダ１０では、車両Ｖに発生した加速度が第１所定値未満且つ第２所定値以上のときには、乗員状態検出部２０によって検出された検出結果（状態情報）に基づいて、異常状態判定部７８が、乗員の状態が異常であるか否かを判定する。さらに、乗員の状態が異常であることを異常状態判定部７８によって判定したことに基づいて、通報部８０が、通信部６０を介して、緊急情報を緊急通報センタＣへ送信する。このため、緊急通報センタＣへの通報の要否を、乗員の緊急通報センタＣへの通報操作等によらずに、乗員の状態に基づいて、判定することができる。したがって、緊急通報センタＣへの通報を適正に行うことができる。
2020059257.tif 000002
【特許請求の範囲】
【請求項１】
車両の加速度を取得する加速度取得部と、
車両の乗員の状態を示す状態情報から乗員の状態が異常であるか否かを判定する異常状態判定部と、
車両の加速度が第１所定値以上のときには、緊急情報をセンタに通報し、車両の加速度が第１所定値未満で且つ第１所定値よりも低い第２所定値以上のときには、乗員の状態が異常であることを前記異常状態判定部によって判定したことに基づいて、緊急情報をセンタに通報する通報部と、を備えた通報装置。
【請求項２】
乗員の状態を検出し、検出結果を前記状態情報として前記異常状態判定部へ出力する乗員状態検出部を備えた請求項１に記載の通報装置。
【請求項３】
車両の衝突を予知し、車両の衝突が回避されたか否かを判定する衝突予知部を備え、
車両の衝突が回避されたときには、乗員の状態が異常であることを前記異常状態判定部によって判定したことに基づいて、前記通報部が緊急情報をセンタに通報することを特徴とする請求項１又は請求項２に記載の通報装置。
【請求項４】
車両への衝突体を検知する衝突体検知部を備え、
前記衝突体検知部によって検知された衝突体が歩行者あるいは自転車である場合には、歩行者あるいは自転車の搭乗者の状態が異常であるか否かを前記異常状態判定部によって判定し、
歩行者あるいは自転車の搭乗者の状態が異常であることを前記異常状態判定部によって判定したことに基づいて、前記通報部が緊急情報をセンタに通報することを特徴とする請求項１〜請求項３の何れか１項に記載の通報装置。
【請求項５】
衝突体が歩行者あるいは自転車であることを前記衝突体検知部によって検知し、且つ車両の速度がゼロである場合には、前記異常状態判定部における乗員に対する状態の判定を行わないことを特徴とする請求項４に記載の通報装置。
【請求項６】
車両の外部の状況を撮影するアウターカメラと、
前記アウターカメラによって撮影された画像を記録する画像記憶部と、
を備え、
前記衝突体検知部は、前記アウターカメラから出力された画像に基づいて、車両への衝突体を検知する請求項４又は請求項５に記載の通報装置。
【請求項７】
加速度取得部、異常状態判定部、及び通報部を備えた通報装置における通報方法であって、
前記加速度取得部が、車両の加速度を取得する第１工程と、
前記異常状態判定部が、車両の乗員の状態を示す状態情報から乗員の状態が異常であるか否かを判定する第２工程と、
車両の加速度が第１所定値以上のときには、前記通報部が緊急情報をセンタに通報し、車両の加速度が第１所定値未満で且つ第１所定値よりも低い第２所定値以上のときには、乗員の状態が異常であることを前記異常状態判定部によって判定したことに基づいて、前記通報部が緊急情報をセンタに通報する第３工程と、
を備えた通報方法。
【請求項８】
加速度取得部、異常状態判定部、及び通報部を備えた通報装置における通報方法をコンピュータに実行させるためのプログラムであって、
前記加速度取得部が、車両の加速度を取得する第１工程と、
前記異常状態判定部が、車両の乗員の状態を示す状態情報から乗員の状態が異常であるか否かを判定する第２工程と、
車両の加速度が第１所定値未満で且つ第１所定値よりも低い第２所定値以上のときには、前記通報部が緊急情報をセンタに通報し、車両の加速度が第１所定値未満且つ第２所定値以上のときには、乗員の状態が異常であることを前記異常状態判定部によって判定したことに基づいて、前記通報部が緊急情報をセンタに通報する第３工程と、
をコンピュータに実行させるためのプログラム。
【発明の詳細な説明】
【技術分野】
【０００１】
本発明は、通報装置、通報方法、及びプログラムに関する。
【背景技術】
【０００２】
下記特許文献１には、車両に生じた加速度の大きさに応じて、緊急通報センタに通報を行う通信端末（通報装置）が記載されている。具体的には、車両に生じた加速度が第１の閾値を超えた場合には、ユーザ（乗員）の通報操作を受付けなくても、通信端末が緊急通報センタに通報を行うようになっている。これにより、緊急通報センタに迅速な通報を行うことができる。【０００３】
また、車両に生じた加速度が第１の閾値を超えず且つ第２の閾値を超えた場合には、通信端末のタッチパネルに通報ボタン及び非通報ボタンが表示される。そして、ユーザによって通報ボタンがタッチされると、通信端末が緊急通報センタに通報を行い、ユーザによって非通報ボタンがタッチされると、通信端末における緊急通報センタへの通報が行われない。これにより、ユーザの通報意思に基づいた通報を行うことができる。【０００４】
さらに、上記通信端末では、車両に生じた加速度が第１の閾値を超えず且つ第２の閾値を超えた場合には、通報ボタン及び非通報ボタンの何れもタッチされず、所定時間が経過すると、所定時間経過後に通信端末が緊急通報センタに通報を行う（以下、便宜上、この通報態様を「緊急通報態様」という）。すなわち、この緊急通報態様の場合には、ユーザにおいて異常が発生して、タッチパネルを操作できない可能性があるため、通信端末が緊急通報センタに通報を行う。
【先行技術文献】
【特許文献】
【０００５】
【特許文献１】特開２０１５−１７６５６６号公報
【発明の概要】
【発明が解決しようとする課題】
【０００６】
しかしながら、上記通信端末では、以下に示す点において改善の余地がある。すなわち、上記通信端末では、ユーザにおけるタッチパネルへの操作ミス等によって、緊急通報センタへの通報が誤報となる場合がある。例えば、上記緊急通報態様において、ユーザによるタッチパネルへの操作が遅れた場合や、タッチパネルへの操作を単に忘れた場合には、ユーザの緊急通報センタへの通報意思がないにもかかわらず、通信端末による緊急通報センタへの通報が行われる。このため、この場合には、緊急通報センタへの通報が誤報となる。したがって、上記通信端末では、緊急通報センタへの通報を適切に行うという点において改善の余地がある。そこで、本発明が解決しようとする課題には、上述した問題が一例として挙げられる。【０００７】
本発明は、上述の一例として挙げられた問題に鑑みてなされたものであり、センタへの通報を適正に行うことができる通報装置、通報方法、及びプログラムを提供することを主な目的とする。
【課題を解決するための手段】
【０００８】
請求項１に記載の発明は、車両の加速度を取得する加速度取得部と、車両の乗員の状態を示す状態情報から乗員の状態が異常であるか否かを判定する異常状態判定部と、車両の加速度が第１所定値以上のときには、緊急情報をセンタに通報し、車両の加速度が第１所定値未満で且つ第１所定値よりも低い第２所定値以上のときには、乗員の状態が異常であることを前記異常状態判定部によって判定したことに基づいて、緊急情報をセンタに通報する通報部と、を備えた通報装置である。【０００９】
請求項７に記載の発明は、加速度取得部、異常状態判定部、及び通報部を備えた通報装置における通報方法であって、前記加速度取得部が、車両の加速度を取得する第１工程と、前記異常状態判定部が、車両の乗員の状態を示す状態情報から乗員の状態が異常であるか否かを判定する第２工程と、車両の加速度が第１所定値以上のときには、前記通報部が緊急情報をセンタに通報し、車両の加速度が第１所定値未満で且つ第１所定値よりも低い第２所定値以上のときには、乗員の状態が異常であることを前記異常状態判定部によって判定したことに基づいて、前記通報部が緊急情報をセンタに通報する第３工程と、を備えた通報方法である。【００１０】
請求項８に記載の発明は、加速度取得部、異常状態判定部、及び通報部を備えた通報装置における通報方法をコンピュータに実行させるためのプログラムであって、前記加速度取得部が、車両の加速度を取得する第１工程と、前記異常状態判定部が、車両の乗員の状態を示す状態情報から乗員の状態が異常であるか否かを判定する第２工程と、車両の加速度が第１所定値以上のときには、前記通報部が緊急情報をセンタに通報し、車両の加速度が第１所定値未満で且つ第１所定値よりも低い第２所定値以上のときには、乗員の状態が異常であることを前記異常状態判定部によって判定したことに基づいて、前記通報部が緊急情報をセンタに通報する第３工程と、をコンピュータに実行させるためのプログラムである。
【図面の簡単な説明】
【００１１】
【図１】図１は、本実施例に係るドライブレコーダが車両に取付けられた状態を模式的に示す車室内側から見た模式図である。
【図２】図２は、図１に示されるドライブレコーダの構成を示す構成図である。
【図３】図３は、図１に示されるドライブレコーダの動作を説明するためのフローチャートである。
【発明を実施するための形態】
【００１２】
本実施形態の通報装置の一態様は、車両の加速度を取得する加速度取得部と、車両の乗員の状態を示す状態情報から乗員の状態が異常であるか否かを判定する異常状態判定部と、車両の加速度が第１所定値以上のときには、緊急情報をセンタに通報し、車両の加速度が第１所定値未満で且つ第１所定値よりも低い第２所定値以上のときには、乗員の状態が異常であることを前記異常状態判定部によって判定したことに基づいて、緊急情報をセンタに通報する通報部と、を備えている。
【００１３】
上記構成の通報装置によれば、車両に発生した加速度が第１所定値以上のときには、通報部が、緊急情報をセンタに通報する。このため、比較的高い加速度が車両に発生したときには、車両の乗員に対する緊急性が高いため、緊急情報をセンタに送信することで、センタへの通報を適正に行うことができる。
【００１４】
また、車両に発生した加速度が第１所定値未満で且つ第１所定値よりも低い第２所定値以上のときには、異常状態判定部が、車両の乗員の状態を示す状態情報から乗員の状態が異常であるか否かを判定する。そして、乗員の状態が異常であることを異常状態判定部によって判定したことに基づいて、通報部が、緊急情報をセンタに通報する。このため、センタへの通報の要否を、乗員のセンタへの通報操作等によらずに、乗員の状態に基づいて、判定することができる。これにより、センタへの通報を適正に行うことができる。
【００１５】
本実施形態の通報装置の他の態様は、乗員の状態を検出し、検出結果を前記状態情報として前記異常状態判定部へ出力する乗員状態検出部を備えている。
【００１６】
上記構成の通報装置によれば、乗員状態検出部によって、乗員の状態を直接的に検出して、検出結果を状態情報として異常状態判定部へ出力することができる。これにより、直接的に検出された乗員の状態に基づいて、センタへの通報の要否を判定することができる。したがって、センタへの通報をより適正に行うことができる。
【００１７】
本実施形態の通報装置の他の態様は、車両の衝突を予知し、車両の衝突が回避されたか否かを判定する衝突予知部を備え、車両の衝突が回避されたときには、乗員の状態が異常であることを前記異常状態判定部によって判定したことに基づいて、前記通報部が緊急情報をセンタに通報することを特徴とする。
【００１８】
上記構成の通報装置によれば、例えば、車両の自動ブレーキの作動によって、車両の衝突が回避された場合でも、乗員の状態が異常であるときには、センタに緊急情報を通報することができる。これにより、車両の衝突が回避されたときでも、車両の乗員の状態に応じて、緊急情報をセンタに通報することができる。
【００１９】
本実施形態の通報装置の他の態様は、車両への衝突体を検知する衝突体検知部を備え、前記衝突体検知部によって検知された衝突体が歩行者あるいは自転車である場合には、歩行者あるいは自転車の搭乗者の状態が異常であるか否かを前記異常状態判定部によって判定し、歩行者あるいは自転車の搭乗者の状態が異常であることを前記異常状態判定部によって判定したことに基づいて、前記通報部が緊急情報をセンタに通報することを特徴とする。
【００２０】
上記構成の通報装置によれば、例えば、歩行者あるいは自転車と、車両と、の衝突時において、車両の乗員の状態が異常でないときでも、歩行者あるいは自転車の搭乗者の状態が異常であるときには、緊急情報をセンタに通報することができる。これにより、歩行者あるいは自転車の搭乗者の状態も考慮した通報を行うことができる。
【００２１】
本実施形態の通報装置の他の態様は、衝突体が歩行者あるいは自転車であることを前記衝突体検知部によって検知し、且つ車両の速度がゼロである場合には、前記異常状態判定部における乗員に対する状態の判定を行わないことを特徴とする。
【００２２】
上記構成の通報装置によれば、衝突体が歩行者あるいは自転車であり、且つ車両の速度がゼロである場合には、車両の乗員に対する傷害値が比較的低いと推測される。このため、この場合における、異常状態判定部の乗員に対する状態の判定を行わないことで、通報装置における処理工数の低減に寄与することができると共に、通報装置の処理速度を向上することができる。
【００２３】
本実施形態の通報装置の他の態様は、車両の外部の状況を撮影するアウターカメラと、前記アウターカメラによって撮影された画像を記録する画像記憶部と、を備え、前記衝突体検知部は、前記アウターカメラから出力された画像に基づいて、車両への衝突体を検知する。
【００２４】
上記構成の通報装置によれば、通報装置が、アウターカメラと、アウターカメラの画像を記録する画像記憶部と、を備えており、衝突体検知部が、アウターカメラから出力された画像に基づいて、車両への衝突体を検知する。このため、通報装置を、ドライブレコーダとしても構成することができる。
【００２５】
また、本発明の他の実施形態では、加速度取得部、異常状態判定部、及び通報部を備えた通報装置における通報方法であって、前記加速度取得部が、車両の加速度を取得する第１工程と、前記異常状態判定部が、車両の乗員の状態を示す状態情報から乗員の状態が異常であるか否かを判定する第２工程と、車両の加速度が第１所定値以上のときには、前記通報部が緊急情報をセンタに通報し、車両の加速度が第１所定値未満で且つ第１所定値よりも低い第２所定値以上のときには、乗員の状態が異常であることを前記異常状態判定部によって判定したことに基づいて、前記通報部が緊急情報をセンタに通報する第３工程と、を備えている。このため、通報装置が通報方法を実行することで、センタへの通報の要否を、乗員のセンタへの通報操作等によらずに、乗員の状態に基づいて、判定することができる。これにより、センタへの通報を適正に行うことができる。
【００２６】
また、本発明の他の実施形態では、加速度取得部、異常状態判定部、及び通報部を備えた通報装置における通報方法をコンピュータに実行させるためのプログラムであって、前記加速度取得部が、車両の加速度を取得する第１工程と、前記異常状態判定部が、車両の乗員の状態を示す状態情報から乗員の状態が異常であるか否かを判定する第２工程と、車両の加速度が第１所定値以上のときには、前記通報部が緊急情報をセンタに通報し、車両の加速度が第１所定値未満で且つ第１所定値よりも低い第２所定値以上のときには、乗員の状態が異常であることを前記異常状態判定部によって判定したことに基づいて、前記通報部が緊急情報をセンタに通報する第３工程と、をコンピュータに実行させる。このため、通報装置における通報方法をコンピュータに実行させることで、センタへの通報の要否を、乗員のセンタへの通報操作等によらずに、乗員の状態に基づいて、判定することができる。これにより、センタへの通報を適正に行うことができる。
【実施例】
【００２７】
以下、図面を用いて、本実施例に係るドライブレコーダ１０について説明する。図１に示されるように、ドライブレコーダ１０は、略矩形箱形状に形成されて、車両（自動車）ＶのウインドシールドガラスＷＳに取付けられている（図１では、ドライブレコーダ１０が、車両ＶのフロントウインドシールドガラスＷＳに取付けられた例を図示している）。また、ドライブレコーダ１０は、車両Ｖの周囲の状況及び車室内の状況を撮影および記録する装置として構成されている。さらに、ドライブレコーダ１０は、車両Ｖにおける交通事故等の緊急時において緊急情報を緊急通報センタＣ（図２参照）に通報する装置としても構成されている。なお、ドライブレコーダ１０が、本発明の「通報装置」の一例であり、緊急通報センタＣが、本発明の「センタ」の一例である。【００２８】
図２に示されるように、ドライブレコーダ１０は、周囲検出部１２と、乗員状態検出部２０と、ＧＰＳ受信機３０と、センサ３２と、報知部４０と、記憶部５０と、通信部６０と、制御部７０と、を含んで構成されている。以下、ドライブレコーダ１０の各構成について説明する。【００２９】
（周囲検出部１２について）
周囲検出部１２は、ライダ（Lidar：Light  Detection  and  Ranging）１４、アウターカメラ１６などによって構成されている。
ライダ１４は、例えば、車両Ｖにおける前後のバンパの車幅方向両端部に設置されている。そして、ライダ１４は、パルス状に照射したレーザー光による散乱光を測定することで、レーザー光を照射した物体までの距離や物体の形状を取得し、車両Ｖへの衝突体（車両、歩行者、自転車、壁やガードレール等の障害物）を検出するようになっている。そして、ライダ１４は、後述する制御部７０に検出結果を出力するようになっている。【００３０】
アウターカメラ１６は、例えば、ＣＣＤ（Charge Coupled Device）イメージセンサやＣＭＯＳ（Complementary Metal Oxide Semiconductor）イメージセンサ等の撮影素子を有するビデオカメラとして構成されている。そして、アウターカメラ１６が、車両Ｖの周囲を撮影して、撮影した画像データを、後述する制御部７０へ出力するようになっている。
なお、周囲検出部１２を、ライダ１４及びアウターカメラ１６の何れかによって構成してもよい。【００３１】
（乗員状態検出部２０について）
乗員状態検出部２０は、インナーカメラ２２、マイクロフォン２４、脈拍センサ２６、などによって構成されている。
インナーカメラ２２は、アウターカメラ１６と同様に、例えば、ＣＣＤ（Charge Coupled Device）イメージセンサやＣＭＯＳ（Complementary Metal Oxide Semiconductor）イメージセンサ等の撮影素子を有するビデオカメラとして構成されている。そして、インナーカメラ２２が、車両Ｖの車室内の状態（主として、運転者や助手席者等の車両Ｖの乗員の状態）を撮影して（図１参照）、乗員の状態を検出するようになっている。さらに、インナーカメラ２２が、検出結果（画像データ）を、乗員の状態を示す状態情報として、後述する制御部７０に出力するようになっている。【００３２】
マイクロフォン２４は、車両Ｖの乗員の音声を収音する装置として構成されている。そしてマイクロフォン２４は、入力された乗員の音声を電気信号に変換して、検出結果（音声データ）を、乗員の状態を示す状態情報として、後述する制御部７０に出力するようになっている。【００３３】
脈拍センサ２６は、例えば、車両Ｖの乗員の腕に装着される腕装着端末に搭載されている。この脈拍センサ２６は、例えば、発光素子及び受光素子を有しており、発光素子から乗員の血管に光を照射し、受光素子によって受光された光量などを検出して、乗員の脈拍を計測するようになっている。そして、脈拍センサ２６が、計測した計測結果（脈拍データ）を、乗員の状態を示す状態情報として、後述する制御部７０へ無線によって出力するようになっている。なお、脈拍センサ２６を、車両Ｖのハンドルや車両用シートに設けられたセンサとしてもよい。
また、乗員状態検出部２０を、インナーカメラ２２、マイクロフォン２４、及び脈拍センサ２６の何れかによって構成してもよい。【００３４】
（ＧＰＳ受信機３０）
ＧＰＳ受信機３０は、ＧＰＳ衛星からの信号を受信し、車両Ｖの現在位置を測位する。そして、ＧＰＳ受信機３０が、測位した車両Ｖの現在位置情報を、後述する制御部７０へ出力するようになっている。【００３５】
（センサ３２について）
センサ３２は、加速度センサ３４、角速度センサ３６、距離センサ３８などによって構成されている。加速度センサ３４は、車両Ｖの加速度を検出して、加速度データを、後述する制御部７０へ出力する。角速度センサ３６は、例えばジャイロなどによって構成されており、車両Ｖの方向変更時における車両の角速度を検出して、角速度データを制御部７０へ出力する。距離センサ３８は、車輪の回転によって発生するパルス信号からなる車速パルスを計測して、距離データを制御部７０へ出力する。【００３６】
（報知部４０について）
報知部４０は、表示部４２と、スピーカ４４と、を含んで構成されている。
図１にも示されるように、表示部４２は、ドライブレコーダ１０における車室内側の面に設けられると共に、車両Ｖの乗員に対して視認可能に露出されている。そして、表示部４２には、車両Ｖの走行中における注意喚起を促すマーク等が、表示されるようになっている。【００３７】
スピーカ４４は、ドライブレコーダ１０に内蔵されている。そして、スピーカ４４では、車両Ｖの走行中における注意喚起を促す音声メッセージ等が、出力されるようになっている。【００３８】
（記憶部５０について）
図２に示されるように、記憶部５０は、後述する制御部７０と電気的に接続されており、第１画像記憶部５２と、第２画像記憶部５４と、を含んで構成されている。第１画像記憶部５２には、アウターカメラ１６によって撮影された車両Ｖの周囲の画像データが記憶されている。また、第２画像記憶部５４には、インナーカメラ２２によって撮影された車両Ｖの車室内（乗員）の画像データが記憶されている。なお、第１画像記憶部５２が、本発明の「画像記憶部」の一例である。【００３９】
（通信部６０について）
通信部６０は、後述する制御部７０と電気的に接続される共に、緊急通報センタＣと通信によって接続されている。そして、車両Ｖにおける交通事故発生時や乗員の急病時などの緊急時には、後述する通報部８０が、通信部６０を介して、緊急情報を緊急通報センタＣに送信するようになっている。ここで、緊急情報とは、緊急時における、第１画像記憶部５２に記憶された車両Ｖの周囲の状態を示す画像データ、第２画像記憶部５４に記憶された乗員の状態を示す画像データ、車両Ｖの現在位置情報等が一例として挙げられる。そして、緊急通報センタＣが、送信された情報に応じて、警察や消防署に緊急事態を通報するようになっている。【００４０】
（制御部７０について）
制御部７０は、衝突予知部７２と、加速度取得部７４と、衝突体検知部７６と、異常状態判定部７８と、通報部８０と、を含んで構成されている。【００４１】
＜衝突予知部７２について＞
衝突予知部７２は、車両Ｖの周辺状況から車両Ｖの衝突を予知するように構成されている。具体的には、衝突予知部７２が、周囲検出部１２（ライダ１４及びアウターカメラ１６）及びセンサ３２からの出力情報に基づいて、車両Ｖと衝突体（他の車両、歩行者、自転車、障壁やガードレール等の障害物等）との相対距離、相対速度、相対加速度などを算出する。そして、衝突予知部７２が、当該算出結果から、車両Ｖと衝突体との衝突を予知する。【００４２】
一方、衝突予知部７２において車両Ｖの衝突予知後では、例えば、車両Ｖの自動ブレーキの作動や運転者の急ハンドル操作等によって、車両Ｖの衝突が回避される場合がある。このため、衝突予知部７２では、車両Ｖの衝突を予知したときに、車両Ｖの衝突が回避されたか否かを判定するように構成されている。例えば、衝突予知部７２が、衝突予測時間（予知発生時から予測衝突時までの時間）を算出し、衝突予測時間後における衝突体と車両Ｖとの相対距離を算出する。さらに、衝突予知部７２が、算出された衝突体と車両Ｖとの相対距離に基づいて、車両Ｖの衝突が回避されたか否かを判定する。そして、衝突予知部７２は、衝突予知結果及び衝突回避結果に関する情報を、後述する通報部８０に出力するようになっている。【００４３】
なお、本実施例では、上述のように、衝突予知部７２が、周囲検出部１２及びセンサ３２からの出力情報に基づいて、車両Ｖの衝突を予知するように構成されているが、衝突予知部７２における車両Ｖの衝突予知方法はこれに限らない。例えば、衝突予知部７２が、車両Ｖの衝突予知センサ（ミリ波レーダやステレオカメラ）からの出力情報を取得して、衝突予知センサの出力情報に基づいて、車両Ｖの衝突を予知するよう構成してもよい。また、例えば、ドライブレコーダ１０を車両ＶのエアバッグＥＣＵと接続して、衝突予知部７２がエアバッグＥＣＵから衝突予知情報を取得するように構成してもよい。【００４４】
＜加速度取得部７４について＞
加速度取得部７４は、センサ３２（加速度センサ３４）から車両Ｖの加速度を取得すると共に、取得された加速度のレベルを設定するようになっている。具体的には、加速度取得部７４は、取得された加速度が、第１所定値以上の場合には、加速度のレベルを「１」に設定する。また、加速度取得部７４は、取得された加速度が、第１所定値未満であり、且つ第１所定値よりも低い第２所定値以上である場合には、加速度のレベルを「２」に設定する。さらに、加速度取得部７４は、取得された加速度が、第２所定値未満であるときには、加速度のレベルを「３」に設定する。【００４５】
ここで、第１所定値は、車両Ｖにおいて衝突事故が発生したことを示す加速度として、所定の値に設定されている。一例として、第１所定値が、車両Ｖの衝突事故における乗員に対する傷害値が高くなると推定される、所定の値に設定されている。一方、第２所定値は、車両Ｖに入力された加速度が第１所定値よりも小さい場合でも、負傷や急病などによる乗員の緊急事態を見逃さないために、所定の値に設定されている。そして、加速度取得部７４は、取得された加速度のレベルに関する情報を、後述する異常状態判定部７８及び通報部８０へ出力するようになっている。【００４６】
＜衝突体検知部７６について＞
衝突体検知部７６は、車両Ｖへの衝突体を検知する検知部として構成されている。具体的には、衝突体検知部７６が、周囲検出部１２（ライダ１４及びアウターカメラ１６）からの出力結果（画像データ）に基づいて、車両Ｖへの衝突体（他の車両、歩行者、自転車、障壁やガードレール等の障害物等）を検知する。そして、衝突体検知部７６は、検知した衝突体に関する情報を、後述する異常状態判定部７８へ出力するようになっている。【００４７】
＜異常状態判定部７８について＞
異常状態判定部７８は、車両Ｖの乗員の状態が異常である否かを判定する判定部として構成されている。そして、異常状態判定部７８が、当該判定結果を、後述する通報部８０へ出力するようになっている。【００４８】
具体的には、異常状態判定部７８は、乗員状態検出部２０のインナーカメラ２２から出力された画像データに基づいて、乗員の状態が異常である否かを判定する。すなわち、異常状態判定部７８は、画像認識機能を有しており、認識された画像に基づいて、乗員の状態が異常である否かを判定する。例えば、乗員の身体（頭部や腕部等）が所定時間動かない状態、乗員の頭部から血が流れている状態、乗員の眼が所定時間閉眼している状態などである場合には、乗員の状態が異常であると、異常状態判定部７８が判定する。なお、例えば、スピーカ４４から、乗員の身体や視線の動作を促す音声メッセージを報知して、所定時間内に乗員の身体や視線に変化がみられない場合には、乗員の状態が異常状態であると、異常状態判定部７８が判定してもよい。【００４９】
また、異常状態判定部７８は、乗員状態検出部２０のマイクロフォン２４から出力された音声データに基づいて、乗員の状態が異常である否かを判定する。すなわち、異常状態判定部７８は、音声認識機能を有しており、認識された音声に基づいて、乗員の状態が異常である否かを判定する。例えば、認識された音声が、救助を求める音声（「助けて」、「救急車」等の音声）である場合には、乗員の状態が異常であると、異常状態判定部７８が判定する。【００５０】
また、異常状態判定部７８は、乗員状態検出部２０のマイクロフォン２４から出力された音声の音質に基づいて、乗員の状態が異常である否かを判定する。すなわち、異常状態判定部７８は、音質認識機能を有しており、認識された音声に基づいて、乗員の状態が異常である否かを判定する。そして、認識された音声が、例えば、震える声、唸り声、叫び声等である場合には、乗員の状態が異常であると、異常状態判定部７８が判定する。【００５１】
また、異常状態判定部７８は、乗員状態検出部２０の脈拍センサ２６から出力された脈拍データから、乗員の状態が異常である否かを判定する。例えば、通常時における乗員の脈拍から脈拍数の上限値及び下限値を設定しておき、乗員の脈拍数が、当該上限値を超えた場合又は当該下限値を下回った場合には、乗員の状態が異常であると、異常状態判定部７８が判定する。また、例えば、乗員の脈拍数が、極端に少ない、或いは、ない場合には、乗員において心不全等が発症している可能性が高いため、乗員の状態が異常であると、異常状態判定部７８が判定する。また、例えば、乗員の脈拍が高い場合（例えば、乗員の脈拍が頻脈（１分間の脈拍数が１００回以上）である場合）には、乗員の状態が異常であると、異常状態判定部７８が判定する。【００５２】
なお、異常状態判定部７８が、インナーカメラ２２、マイクロフォン２４、及び脈拍センサ２６における少なくとも１つの出力結果に基づいて、乗員の状態を判定してもよい。換言すると、異常状態判定部７８が、インナーカメラ２２、マイクロフォン２４、及び脈拍センサ２６における出力結果の組み合わせに基づいて、乗員の状態を判定してもよい。また、異常状態判定部７８は、加速度取得部７４においてレベル２の加速度を取得してから所定時間経過するまでの間、インナーカメラ２２、マイクロフォン２４、及び脈拍センサ２６からの出力結果に基づいて、乗員の状態を判定するようになっている。【００５３】
さらに、衝突体が歩行者あるいは自転車であることを衝突体検知部７６において検知した場合には、異常状態判定部７８が、検知された歩行者あるいは自転車の搭乗者の状態が異常である否かを判定するようになっている。そして、異常状態判定部７８が、当該判定結果を、後述する通報部８０へ出力するようになっている。【００５４】
具体的には、異常状態判定部７８は、周囲検出部１２（ライダ１４及びアウターカメラ１６）から出力された画像データに基づいて、歩行者あるいは自転車の搭乗者の状態を判定する。そして、例えば、歩行者あるいは自転車の搭乗者の状態が、路上や車両Ｖのフード上に倒れ込み且つ所定時間動きがみられない等である場合には、歩行者あるいは自転車の搭乗者の状態が異常であると、異常状態判定部７８が判定する。【００５５】
また、異常状態判定部７８は、加速度取得部７４においてレベル２の加速度を取得してから所定時間経過するまでの間、周囲検出部１２からの出力結果に基づいて、歩行者あるいは自転車の搭乗者の状態を判定するようになっている。【００５６】
＜通報部８０について＞
通報部８０は、加速度取得部７４及び異常状態判定部７８の出力結果に基づいて、緊急情報を、通信部６０を介して緊急通報センタＣに送信するようになっている。【００５７】
詳しくは、車両Ｖの衝突が回避され、且つ、車両Ｖの乗員の状態が異常である旨の判定結果を通報部８０が異常状態判定部７８から取得したときには、通報部８０は、通信部６０を介して、緊急情報を緊急通報センタＣに送信するようになっている。【００５８】
また、通報部８０において、車両Ｖに発生した加速度のレベルが１である旨の出力結果を加速度取得部７４から取得した場合には、通報部８０は、異常状態判定部７８の判定結果にかかわらず、通信部６０を介して、緊急情報等を緊急通報センタＣに送信するようになっている。【００５９】
また、車両Ｖに発生した加速度のレベルが２であり、且つ、車両Ｖの乗員の状態が異常である旨の判定結果を通報部８０が異常状態判定部７８から取得したときには、通報部８０は、通信部６０を介して、緊急情報を緊急通報センタＣに送信するようになっている。【００６０】
また、車両Ｖに発生した加速度のレベルが２であり、且つ、車両Ｖへの衝突体である歩行者や自転車の搭乗者の状態が異常である旨の判定結果を通報部８０が異常状態判定部７８から取得したときには、通報部８０は、通信部６０を介して、緊急情報を緊急通報センタＣに送信するようになっている。【００６１】
さらに、通報部８０において、車両Ｖに発生した加速度のレベルが３である旨の情報を加速度取得部７４から取得したときには、通報部８０は、緊急情報等を緊急通報センタＣに送信しない構成になっている。【００６２】
（作用効果）
次に、図３を用いて、本実施例のドライブレコーダ１０の動作を説明しつつ、本実施例における作用及び効果について説明する。【００６３】
初めに、ドライブレコーダ１０では、衝突予知部７２において、周囲検出部１２からの出力結果に基づいて、車両Ｖの衝突予知を監視する（ステップＳ１）。そして、ステップＳ１において、衝突予知部７２が車両Ｖの衝突を予知すると、ステップＳ２へ移行する。【００６４】
ステップＳ２では、衝突予知部７２において、車両Ｖの衝突が回避されたか否かを判定する。そして、例えば、車両Ｖの自動ブレーキが作動して、車両Ｖの衝突が回避されたことを衝突予知部７２が判定した場合（ステップＳ２の「Ｙｅｓ」の場合）には、ステップＳ３に移行する。【００６５】
ステップＳ３では、異常状態判定部７８が、車両Ｖの乗員の状態が異常であるか否かを判定する。具体的には、異常状態判定部７８が、乗員状態検出部２０（インナーカメラ２２、マイクロフォン２４、及び脈拍センサ２６）からの出力結果に基づいて、乗員の状態が異常であるか否かを判定する。そして、異常状態判定部７８において、乗員の状態が異常であると判定した場合（ステップＳ３の「Ｙｅｓ」の場合）には、異常状態判定部７８が、乗員の状態が異常である旨の判定結果を通報部８０に出力して、ステップＳ６へ移行する。なお、ステップＳ６の処理については、後述する。【００６６】
一方、ステップＳ３において、異常状態判定部７８が、乗員の状態が異常でないと判定した場合（ステップＳ３の「Ｎｏ」の場合）には、ステップＳ１に戻る。【００６７】
ステップＳ２の処理の説明に戻って、ステップＳ２において、車両Ｖの衝突が回避されなかったことを衝突予知部７２が判定した場合（ステップＳ２の「Ｎｏ」の場合）には、ステップＳ４に移行する。【００６８】
ステップＳ４では、加速度取得部７４が、センサ３２（加速度センサ３４）から車両Ｖの加速度を取得する。そして、加速度取得部７４において車両Ｖの加速度を取得した後、ステップＳ５に移行する。【００６９】
ステップＳ５では、加速度取得部７４において取得された車両Ｖの加速度のレベルが１であるか否かを判定する。詳しくは、車両Ｖの加速度が第１所定値以上であるか否かを、加速度取得部７４が判定する。
そして、ステップＳ５において、車両Ｖの加速度のレベルが１であることを加速度取得部７４が判定した場合（ステップＳ５の「Ｙｅｓ」の場合であり、つまり、車両Ｖにおいて衝突事故が発生した場合）には、ステップＳ６に移行する。【００７０】
ステップＳ６では、通報部８０が、通信部６０を介して、緊急情報を緊急通報センタＣへ送信する。具体的には、通信部６０によって、交通事故発生時における車両Ｖの外部の状況を示す画像データ、車両Ｖの乗員の状態を示す画像データ、車両Ｖの現在位置情報等の緊急情報が、緊急通報センタＣに送信される。そして、ステップＳ６の処理後、ドライブレコーダ１０における報知処理を終了する。【００７１】
一方、ステップＳ５において、車両Ｖの加速度のレベルが１以外であることを加速度取得部７４が判定した場合（ステップＳ４の「Ｎｏ」の場合であり、車両Ｖの加速度が、第１所定値未満の場合）には、ステップＳ７に移行する。【００７２】
ステップＳ７では、加速度取得部７４において、取得された車両Ｖの加速度のレベルが２であるか否かを判定する。詳しくは、加速度取得部７４において、車両Ｖの加速度が、第１所定値未満であり且つ第２所定値以上であるか否かを判定する。
そして、ステップＳ７において、車両Ｖの加速度のレベルが２以外であることを加速度取得部７４が判定した場合（ステップＳ７の「Ｎｏ」の場合であり、つまり、車両Ｖの加速度のレベルが３である場合）には、ステップＳ１に戻り、上記処理を繰り返す。すなわち、この場合には、通報部８０から緊急通報センタＣへ緊急情報が送信されずに、ステップＳ１に戻る。【００７３】
一方、ステップＳ７において、車両Ｖの加速度のレベルが２であることを加速度取得部７４が判定した場合（ステップＳ７の「Ｙｅｓ」の場合であり、つまり、車両Ｖの衝突が軽衝突等である場合）には、ステップＳ８に移行する。【００７４】
ステップＳ８では、ステップＳ３と同様に、異常状態判定部７８が、車両Ｖの乗員の状態が異常であるか否かを判定する。すなわち、異常状態判定部７８が、乗員状態検出部２０（インナーカメラ２２、マイクロフォン２４、及び脈拍センサ２６）からの出力結果に基づいて、乗員の状態が異常であるか否かを判定する。そして、異常状態判定部７８において、乗員の状態が異常であると判定した場合（ステップＳ８の「Ｙｅｓ」の場合）には、異常状態判定部７８が、乗員の状態が異常である旨の判定結果を通報部８０に出力して、ステップＳ６へ移行する。そして、ステップＳ６では、通報部８０が、通信部６０を介して、緊急情報を緊急通報センタＣへ送信する。【００７５】
一方、ステップＳ８において、乗員の状態が異常でないと異常状態判定部７８が判定した場合（ステップＳ８の「Ｎｏ」の場合）には、ステップＳ９に移行する。【００７６】
ステップＳ９では、衝突体検知部７６において、衝突体が歩行者又は自転車であるか否かを判定する。そして、ステップＳ９において、衝突体が歩行者や自転車ではなく壁等の障害物等であることを衝突体検知部７６が判定した場合（ステップＳ９の「Ｎｏ」の場合）には、ステップＳ１に戻り、上記処理を繰り返す。すなわち、この場合には、通報部８０から緊急通報センタＣへ緊急情報が送信されずに、ステップＳ１に戻る。【００７７】
一方、ステップＳ９において、衝突体が歩行者や自転車であることを衝突体検知部７６が判定した場合（ステップＳ９の「Ｙｅｓ」の場合）には、ステップＳ１０に移行する。【００７８】
ステップＳ１０では、異常状態判定部７８が、歩行者又は自転車の搭乗者の状態が異常であるか否かを判定する。具体的には、異常状態判定部７８が、周囲検出部１２（ライダ１４、アウターカメラ１６）の出力結果に基づいて、歩行者又は自転車の搭乗者の状態が異常であるか否かを判定する。そして、異常状態判定部７８において、歩行者又は自転車の搭乗者の状態が異常であると判定した場合（ステップＳ１０の「Ｙｅｓ」の場合）には、歩行者又は自転車の搭乗者の状態が異常である旨の判定結果を異常状態判定部７８が通報部８０に出力して、ステップＳ６へ移行する。そして、ステップＳ６において、通報部８０が、通信部６０を介して、緊急情報を緊急通報センタＣへ送信する。【００７９】
一方、ステップＳ１０において、歩行者や自転車の搭乗者の状態が異常でないと異常状態判定部７８が判定した場合（ステップＳ１０の「Ｎｏ」の場合）には、ステップＳ１に戻り、上記処理を繰り返す。すなわち、この場合には、通報部８０から緊急通報センタＣへ緊急情報が送信されずに、ステップＳ１に戻る。【００８０】
以上説明したように、本実施例のドライブレコーダ１０では、車両Ｖに発生した加速度が第１所定値以上のとき（すなわち、加速度のレベルが１のとき）には、通報部８０が、緊急情報を緊急通報センタＣに通報する。そして、このときには、交通事故時における車両Ｖの乗員に対する傷害値が高いと推測されるため、緊急情報を緊急通報センタＣに送信することで、緊急通報センタＣへの通報を適正に行うことができる。【００８１】
また、車両Ｖに発生した加速度が第１所定値未満且つ第２所定値以上のとき（すなわち、加速度のレベルが２のとき）には、乗員状態検出部２０（インナーカメラ２２、マイクロフォン２４、及び脈拍センサ２６）によって検出された検出結果（状態情報）に基づいて、異常状態判定部７８が、車両Ｖの乗員の状態が異常であるか否かを判定する。さらに、乗員の状態が異常であることを異常状態判定部７８によって判定したことに基づいて、通報部８０が、通信部６０を介して、緊急情報を緊急通報センタＣへ送信する。このため、緊急通報センタＣへの通報の要否を、乗員の緊急通報センタＣへの通報操作等によらずに、乗員の状態に基づいて、判定することができる。したがって、背景技術に記載したような通報装置（以下、この通報装置を「比較例の通報装置」という）と比べて、緊急通報センタＣへの通報を適正に行うことができる。【００８２】
すなわち、比較例の通報装置では、通報装置への通報操作の有無と、通報操作が行われるまでの時間によって、緊急通報センタへの通報の要否を判定する。このため、比較例の通報装置では、乗員の状態が異常でなく、乗員の通報意思がない場合でも、緊急通報センタへの通報が行われる可能性がある。例えば、乗員が車両周囲の状況を確認する等して、通報装置に対する通報操作が遅れたときには、緊急通報センタへの通報が行われる可能性がある。この場合には、緊急通報センタへの通報が誤報となる。
また、比較例の通報装置では、例えば、車両に複数の乗員（一例として、運転者と助手席者）が搭乗している場合に、助手席者の状態に異常があるにもかかわらず、運転者が、緊急通報センタへ通報を行わない旨の操作をしたときには、通報装置の処理が停止する。この場合には、緊急通報センタへの通報に遅れが生じる可能性がある。【００８３】
これに対して、本実施例のドライブレコーダ１０では、上述のように、緊急通報センタＣへの通報の要否を、乗員の緊急通報センタＣへの通報操作によらずに、乗員の状態に基づいて、判定することができる。
このため、例えば、乗員の状態が異常ではないときには、緊急通報センタＣへの通報を行わないようにすることができる。これにより、緊急通報センタＣへの誤報を抑制することができる。
また、例えば、乗員の状態が異常であるときには、緊急通報センタへの迅速な通報が行われる。
以上により、本実施例のドライブレコーダ１０によれば、緊急通報センタＣへの通報を適正に行うことができる。【００８４】
また、乗員状態検出部２０（インナーカメラ２２、マイクロフォン２４、及び脈拍センサ２６）が、車両Ｖの乗員の状態を検出して、検出結果を、車両Ｖの乗員の状態を示す状態情報として、異常状態判定部７８に出力する。このため、乗員状態検出部２０によって乗員の状態を直接的に検出して、異常状態判定部７８に検出結果を出力することができる。【００８５】
また、乗員状態検出部２０は、インナーカメラ２２と、マイクロフォン２４と、脈拍センサ２６と、を含んで構成されている。このため、異常状態判定部７８が、乗員状態検出部２０からの乗員の画像データ、乗員の音声データ、及び乗員の脈拍データに基づいて、乗員の状態を判定することができる。したがって、乗員の状態を効果的に判定することができる。また、加速度取得部７４において、レベル２の加速度を取得したときから所定時間経過するまで、乗員の状態を乗員状態検出部２０によって連続的に検出（監視）することができる。【００８６】
また、ドライブレコーダ１０は、車両Ｖの衝突を予知する衝突予知部７２を有している。そして、衝突予知部７２が車両Ｖの衝突を予知したときには、車両Ｖの衝突が回避された否かを衝突予知部７２によって判定する。さらに、衝突予知部７２において、車両Ｖの衝突が回避されたことを判定したときには、異常状態判定部７８が、車両Ｖの乗員の状態を判定する。そして、異常状態判定部７８において車両Ｖの乗員の状態が異常であると判定すると、通報部８０が緊急情報を緊急通報センタＣに通報する。このため、例えば、車両Ｖの自動ブレーキが作動することで、あるいは、運転者が急ハンドル操作をすることで、車両Ｖの衝突が回避された場合でも、乗員の状態が異常であるとき（例えば、むち打ち等による乗員への傷害値が高いとき）には、緊急通報センタＣに緊急情報を通報することができる。これにより、車両Ｖの衝突が回避された場合でも、車両Ｖの乗員の状態に応じて、緊急情報を緊急通報センタＣに通報することができる。【００８７】
また、本実施例では、衝突予知部７２における車両Ｖの衝突予知後に、加速度取得部７４において、車両Ｖの加速度をセンサ３２から取得するようになっている。このため、加速度取得部７４において、センサ３２から加速度を常時取得する必要がなくなる。したがって、ドライブレコーダ１０における通報処理工数を低減させることができる。【００８８】
また、ドライブレコーダ１０は、車両Ｖへの衝突体を検知する衝突体検知部７６を有している。さらに、衝突体検知部７６において、衝突体が歩行者あるいは自転車である場合には、歩行者あるいは自転車の搭乗者の状態を異常状態判定部７８によって判定する。そして、歩行者あるいは自転車の搭乗者の状態が異常であることを、異常状態判定部７８によって判定したときには、通報部８０が緊急情報を緊急通報センタＣに通報する。このため、衝突体である歩行者あるいは自転車の搭乗者の状態も考慮した通報を行うことができる。【００８９】
しかも、車両Ｖの加速度のレベルが２であり、且つ車両Ｖの乗員の状態が異常でないときに、衝突体検知部７６が衝突体の判定を行う。そして、上述にように、衝突体が歩行者あるいは自転車である場合には、衝突体検知部７６において、歩行者あるいは自転車の搭乗者の状態を異常状態判定部７８によって判定する。このため、車両Ｖの乗員の状態が異常でないときでも、歩行者あるいは自転車の搭乗者の状態が異常であるときには、緊急情報を緊急通報センタＣに通報することができる。【００９０】
また、ドライブレコーダ１０は、車両の外部の状況を撮影するアウターカメラ１６と、アウターカメラ１６によって撮影された画像を記録する第１画像記憶部５２と、を備えている。そして、衝突体検知部７６は、アウターカメラ１６から出力された画像に基づいて、車両Ｖへの衝突体を検知する。このため、ドライブレコーダ１０に搭載されたアウターカメラ１６を活用して、車両Ｖへの衝突体を検知することができる。【００９１】
また、通報部８０によって緊急通報センタＣへ送信する緊急情報は、車両Ｖの乗員を示す画像情報と、車両Ｖの外部の状況を示す画像データと、を含んで構成されている。このため、乗員の状態や、衝突体である歩行者あるいは自転車の搭乗者の状態を、緊急通報センタＣにおいて、良好に把握することができる。【００９２】
なお、ドライブレコーダ１０の処理をコンピュータシステムが読み取り可能な記録媒体に記録し、この記録媒体に記録されたプログラムをドライブレコーダ１０に読み込ませ、実行することによって本発明のドライブレコーダ１０を実現することができる。ここでいうコンピュータシステムとは、ＯＳや周辺装置等のハードウェアを含む。【００９３】
また、「コンピュータシステム」は、ＷＷＷ（Ｗｏｒｌｄ  Ｗｉｄｅ  Ｗｅｂ）システムを利用している場合であれば、ホームページの提供環境（あるいは表示環境）も含むでもよい。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。【００９４】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。【００９５】
また、本実施例では、ドライブレコーダ１０が衝突予知部７２を備えており、衝突予知部７２において車両Ｖの衝突を予知するようになっているが、ドライブレコーダ１０において、衝突予知部７２を省略してもよい。この場合には、ドライブレコーダ１０の動作処理として、図３に示されるフローチャートのステップＳ１、Ｓ２、Ｓ３を省略した動作処理になる。また、この場合には、周囲検出部１２において、ライダ１４を省略して、アウターカメラ１６によって車両Ｖの外部の状況を検出する構成にしてもよい。【００９６】
また、本実施例では、車両Ｖの加速度のレベルが２である場合には、異常状態判定部７８によって車両Ｖの乗員の状態を判定している。これに代えて、車両Ｖの速度がゼロであり、衝突体検知部７６によって、車両Ｖへの衝突体が歩行者や自転車であることを検知したときには、異常状態判定部７８における車両Ｖの乗員の状態判定を行わないようにしてもよい。この場合には、車両Ｖの乗員に対する傷害値が比較的低いと推測されるため、異常状態判定部７８における車両Ｖの乗員の状態判定を省略してもよい。これにより、ドライブレコーダ１０における通報処理工数の低減に寄与することができると共に、ドライブレコーダ１０の処理速度を向上することができる。【００９７】
また、本実施例では、通報部８０によって緊急通報センタＣへ送信する緊急情報が、車両Ｖの現在位置情報と、車両Ｖの乗員を示す画像情報と、車両Ｖの外部の状況を示す画像データと、を含んで構成されているが、緊急通報センタＣへ送信する緊急情報は、これに限らない。例えば、乗員状態検出部２０によって検出された検出結果も通報部８０によって緊急通報センタＣへ送信してもよい。【００９８】
また、本実施例では、通報部８０が通信部６０によって緊急情報を緊急通報センタＣに送信しているが、通報部８０が通信部６０によって緊急情報を警察や消防署等に送信するようにしてもよい。すなわち、通報部８０による通報先を、警察や消防署等にして、救急車等の要請を直接行うようにしてもよい。さらに、この場合には、例えば、車両Ｖの加速度のレベルが１である場合の通報先を、緊急通報センタＣとし、車両Ｖの加速度のレベルが２である場合の通報先を、警察や消防署等としてもよい。すなわち、本発明の「センタ」とは、警察や消防署等を含んでいる。【００９９】
また、本実施例のドライブレコーダ１０において、周囲検出部１２、乗員状態検出部２０、ＧＰＳ受信機３０、センサ３２、報知部４０、記憶部５０の各々の構成部の全部または一部を、ドライブレコーダ１０の外部に設けて、これら構成部を車両Ｖに搭載した構成にしてもよい。【０１００】
また、本実施例では、本発明の「通報装置」の一例としてドライブレコーダ１０を用いて説明したが、少なくとも制御部７０を備えた装置を本発明の「通報装置」としてもよい。【０１０１】
すなわち、例えば、制御部７０が、車両Ｖに搭載されたカメラ等の外部機器から、車両Ｖの外部の画像データを取得するように構成してもよいし、制御部７０が、車両Ｖに搭載されたカメラ、マイクロフォン等の外部機器から、車両Ｖの車室内の画像データや乗員の音声データ等を取得するように構成してもよい。
また、例えば、制御部７０が、車両Ｖのナビゲーション装置等の外部機器から、車両Ｖの現在位置情報を取得するように構成してもよいし、制御部７０が、車両Ｖの加速度センサ、角速度センサ、距離センサ等の外部センサから、車両Ｖの加速度データ、角速度データ、距離データを取得するように構成してもよい。
また、例えば、車両Ｖのナビゲーション装置等の外部機器の記憶部に、車両Ｖの周囲の画像データ、車両Ｖの車室内の画像データを記憶して、制御部７０が、画像データを取得する構成にしてもよい。
また、例えば、制御部７０（通報部８０）が、車両Ｖに搭載された通信装置等の外部機器を用いて、緊急通報センタＣに通報を行う構成にしてもよい。
さらに、この場合には、例えば、制御部７０を機能構成部として車両Ｖの制御部等に組み込んだ構成にしてもよい。
【符号の説明】
【０１０２】
１０    ドライブレコーダ（通報装置）
１６    アウターカメラ
２０    乗員状態検出部
５２    第１画像記憶部（画像記憶部）
７２    衝突予知部
７４    加速度取得部
７６    衝突体検知部
７８    異常状態判定部
８０    通報部
Ｃ      緊急通報センタ（センタ）
【図１】
2020059257.tif 000003
【図２】
2020059257.tif 000004
【図３】
2020059257.tif 000005
【国際調査報告】
2020059257.tif 000006
2020059257.tif 000007
2020059257.tif 000008
2020059257.tif 000009